(57)【要約】【課題】制御性を向上するとともに消費電力を削減することができる冷媒加熱装置およびその加熱制御方法を提供する。【解決手段】冷媒加熱装置４は、ヒータ１２と、制御部１７とを備えている。ヒータ１２は、冷媒を加熱する。冷媒は、圧縮機２２を含む冷媒回路１０の内部を流れる。制御部１７は、ヒータ１２の運転を制御する。制御部１７は、圧縮機２２の運転開始のタイミングに基づいて、ＩＨヒータ１２の加熱を開始するようにＩＨヒータ１２を制御する。【選択図】図２
2007255736.tif 000002
【特許請求の範囲】
【請求項１】
圧縮機（２２）を含む冷媒回路（１０）の内部を流れる冷媒を加熱するヒータ（１２）と、
前記ヒータ（１２）の運転を制御する制御部（１７）と
を備えており、
前記制御部（１７）は、前記圧縮機（２２）の運転開始のタイミングに基づいて、前記ヒータ（１２）の加熱を開始するように前記ヒータ（１２）を制御する、
冷媒加熱装置（４）。
【請求項２】
前記制御部（１７）は、前記圧縮機（２２）の運転開始と同時に、前記ヒータ（１２）の加熱を開始するように前記ヒータ（１２）を制御する、
請求項１に記載の冷媒加熱装置（４）。
【請求項３】
前記制御部（１７）は、前記圧縮機（２２）の運転開始から所定時間経過後に、前記ヒータ（１２）の加熱を開始するように前記ヒータ（１２）を制御する、
請求項１に記載の冷媒加熱装置（４）。
【請求項４】
前記制御部（１７）は、前記冷媒の温度が所定の温度よりも低い場合に、前記圧縮機（２２）の運転開始のタイミングに基づいて、前記ヒータ（１２）の加熱を開始するように前記ヒータ（１２）を制御する、
請求項１から３のいずれかに記載の冷媒加熱装置（４）。
【請求項５】
前記冷媒回路は、蒸発器を有しており、
前記制御部（１７）は、前記蒸発器における前記冷媒の蒸発温度が所定の温度よりも低い場合に、前記圧縮機（２２）の運転開始のタイミングに基づいて、前記ヒータ（１２）の加熱を開始するように前記ヒータ（１２）を制御する、
請求項４に記載の冷媒加熱装置（４）。
【請求項６】
前記冷媒回路は、蒸発器を有しており、
前記制御部（１７）は、前記蒸発器の出口付近における前記冷媒の温度が所定の温度よりも低い場合に、前記圧縮機（２２）の運転開始のタイミングに基づいて、前記ヒータ（１２）の加熱を開始するように前記ヒータ（１２）を制御する、
請求項４に記載の冷媒加熱装置（４）。
【請求項７】
前記制御部（１７）は、外気温度が所定の温度以上である場合に、前記ヒータ（１２）の加熱開始を回避する、
請求項１から３のいずれかにに記載の冷媒加熱装置（４）。
【請求項８】
前記制御部（１７）は、前記圧縮機（２２）の起動時からの運転周波数の変化に対応して前記ヒータ（１２）の加熱容量を変化させる、
請求項１から３のいずれかに記載の冷媒加熱装置（４）。
【請求項９】
前記制御部（１７）は、前記圧縮機（２２）の起動時から所定時間ごとに、前記ヒータ（１２）の加熱容量を段階的に大きくするように前記ヒータ（１２）を制御する、
請求項１から３のいずれかに記載の冷媒加熱装置（４）。
【請求項１０】
前記制御部（１７）は、前記圧縮機（２２）の起動時から所定時間ごとの前記冷媒の温度に基づいて、前記ヒータ（１２）の加熱容量を変化させる、
請求項１から３のいずれかに記載の冷媒加熱装置（４）。
【請求項１１】
前記制御部（１７）は、前記圧縮機（２２）の起動時から所定時間ごとの前記冷媒の温度の変化量に基づいて、前記ヒータ（１２）の加熱容量を変化させる、
請求項１から３のいずれかに記載の冷媒加熱装置（４）。
【請求項１２】
前記制御部（１７）は、前記圧縮機（２２）の運転周波数および前記冷媒の温度に基づいて、前記ヒータ（１２）の加熱容量を変化させる、
請求項１から３のいずれかに記載の冷媒加熱装置（４）。
【請求項１３】
前記ヒータ（１２）は、誘導加熱ヒータである、
請求項１に記載の冷媒加熱装置（４）。
【請求項１４】
圧縮機（２２）を含む冷媒回路（１０）の内部を流れる冷媒を加熱するヒータ（１２）を、前記圧縮機（２２）の運転開始のタイミングに基づいて、前記ヒータ（１２）の加熱を開始するように制御する、
冷媒加熱装置の加熱制御方法。
【発明の詳細な説明】
【技術分野】
【０００１】
本発明は、冷媒回路を流れる冷媒を加熱するための冷媒加熱装置およびその加熱制御方法に関する。
【背景技術】
【０００２】
空気調和機の冷媒回路を流れる液冷媒を加熱して暖房能力や除霜能力を向上させるために、特許文献１に記載されるように、誘導加熱ヒータを用いた冷媒加熱装置がある。この冷媒加熱装置は、空気調和機の室外機と室内機との間に設置されている。室外機は、室外熱交換器と、膨張弁と、圧縮機と、四路切換弁とを有している。室内機は、室内熱交換器を有している。デフロスト運転時には、室内機の室内熱交換器を通過した冷媒は、冷媒加熱装置の誘導加熱ヒータによって加熱されたのち、室外機の膨張弁で膨張されて室外熱交換器に流入される。
【特許文献１】特開２００２―５５３７号公報
【発明の開示】
【発明が解決しようとする課題】
【０００３】
しかし、特許文献１に記載された冷媒加熱装置は、外気温度または室外熱交換器内部における冷媒温度などの温度情報に基づいて、ヒータをＯＮ・ＯＦＦ制御しているにすぎない。したがって、従来の冷媒加熱装置は、暖房運転やデフロスト運転において圧縮機の起動時に冷媒を早期に加熱する必要が有る場合でも、冷媒の加熱が遅れる傾向にあるので、制御性の向上が困難であり、それとともに効率的な冷媒の加熱が困難であるので消費電力の点にも問題がある。
【０００４】
本発明の課題は、制御性を向上するとともに消費電力を削減することができる冷媒加熱装置およびその加熱制御方法を提供することにある。
【課題を解決するための手段】
【０００５】
第１発明の冷媒加熱装置は、ヒータと、制御部とを備えている。ヒータは、冷媒を加熱する。冷媒は、冷媒回路の内部を流れる。冷媒回路は、圧縮機を含む。制御部は、ヒータの運転を制御する。制御部は、圧縮機の運転開始のタイミングに基づいて、ヒータの加熱を開始するようにヒータを制御する。
ここでは、制御部が圧縮機の運転開始のタイミングに基づいてヒータの加熱を開始するようにヒータを制御するので、制御性の向上および消費電力の削減が可能である。
【０００６】
第２発明の冷媒加熱装置は、第１発明の冷媒加熱装置であって、制御部は、圧縮機の運転開始と同時に、ヒータの加熱を開始するようにヒータを制御する。
ここでは、制御部が圧縮機の運転開始と同時にヒータの加熱を開始するようにヒータを制御するので、冷媒を早期に加熱することが可能である。
【０００７】
第３発明の冷媒加熱装置は、第１発明の冷媒加熱装置であって、制御部は、圧縮機の運転開始から所定時間経過後に、ヒータの加熱を開始するようにヒータを制御する。
ここでは、制御部が圧縮機の運転開始から所定時間経過後にヒータの加熱を開始するようにヒータを制御するので、冷媒回路内部における冷媒の循環がある程度行われたのちに、ヒータの加熱を開始することによって、より効果的に冷媒を加熱することが可能である。
【０００８】
第４発明の冷媒加熱装置は、第１発明から第３発明のいずれかの冷媒加熱装置であって、制御部は、冷媒の温度が所定の温度よりも低い場合に、圧縮機の運転開始のタイミングに基づいて、ヒータの加熱を開始するようにヒータを制御する。
ここでは、制御部が冷媒の温度が所定の温度よりも低い場合に圧縮機の運転開始のタイミングに基づいてヒータの加熱を開始するようにヒータを制御するので、制御性がさらに向上するとともに消費電力もさらに削減することが可能である。
【０００９】
第５発明の冷媒加熱装置は、第４発明の冷媒加熱装置であって、冷媒回路は、蒸発器を有している。制御部は、蒸発器における冷媒の蒸発温度が所定の温度よりも低い場合に、圧縮機の運転開始のタイミングに基づいて、ヒータの加熱を開始するようにヒータを制御する。
ここでは、制御部が蒸発器における冷媒の蒸発温度が所定の温度よりも低い場合に圧縮機の運転開始のタイミングに基づいてヒータの加熱を開始するようにヒータを制御することにより、冷媒回路のうち冷媒温度が低下する場所における冷媒温度に基づいてヒータの加熱開始を制御するので、制御性がさらに向上するとともに消費電力もさらに削減することが可能である。
【００１０】
第６発明の冷媒加熱装置は、第４発明の冷媒加熱装置であって、冷媒回路は、蒸発器を有している。制御部は、蒸発器の出口付近における冷媒の温度が所定の温度よりも低い場合に、圧縮機の運転開始のタイミングに基づいて、ヒータの加熱を開始するようにヒータを制御する。
ここでは、制御部が蒸発器の出口付近における冷媒の温度が所定の温度よりも低い場合に圧縮機の運転開始のタイミングに基づいてヒータの加熱を開始するようにヒータを制御することにより、冷媒回路のうち冷媒温度が低下する場所で最も低い冷媒温度に基づいてヒータの加熱開始を制御するので、制御性がさらに向上するとともに消費電力もさらに削減することが可能である。
【００１１】
第７発明の冷媒加熱装置は、第１発明から第３発明のいずれかの冷媒加熱装置であって、制御部は、外気温度が所定の温度以上である場合に、ヒータの加熱開始を回避する。
ここでは、制御部が外気温度が所定の温度以上である場合にヒータの加熱開始を回避するので、制御性のさらなる向上および消費電力のさらなる削減が可能である。
第８発明の冷媒加熱装置は、第１発明から第３発明のいずれかの冷媒加熱装置であって、制御部は、圧縮機の起動時からの運転周波数の変化に対応してヒータの加熱容量を変化させる。
ここでは、制御部が圧縮機の起動時からの運転周波数の変化に対応してヒータの加熱容量を変化させるので、冷媒の過熱防止が可能である。
【００１２】
第９発明の冷媒加熱装置は、第１発明から第３発明のいずれかの冷媒加熱装置であって、制御部は、圧縮機の起動時から所定時間ごとに、ヒータの加熱容量を段階的に大きくするようにヒータを制御する。
ここでは、制御部が圧縮機の起動時から所定時間ごとにヒータの加熱容量を段階的に大きくするようにヒータを制御するので、冷媒の過熱防止が可能である。
【００１３】
第１０発明の冷媒加熱装置は、第１発明から第３発明のいずれかの冷媒加熱装置であって、制御部は、圧縮機の起動時から所定時間ごとの前記冷媒の温度に基づいて、ヒータの加熱容量を変化させる。
ここでは、制御部が圧縮機の起動時から所定時間ごとの前記冷媒の温度に基づいてヒータの加熱容量を変化させるので、冷媒の過熱防止が可能である。
【００１４】
第１１発明の冷媒加熱装置は、第１発明から第３発明のいずれかの冷媒加熱装置であって、制御部は、圧縮機の起動時から所定時間ごとの冷媒の温度の変化量に基づいて、ヒータの加熱容量を変化させる。
ここでは、制御部が圧縮機の起動時から所定時間ごとの冷媒の温度の変化量に基づいてヒータの加熱容量を変化させるので、冷媒の過熱防止が可能である。
【００１５】
第１２発明の冷媒加熱装置は、第１発明から第３発明のいずれかの冷媒加熱装置であって、制御部は、圧縮機の運転周波数および前記冷媒の温度に基づいて、ヒータの加熱容量を変化させる。
ここでは、制御部が圧縮機の運転周波数および前記冷媒の温度に基づいてヒータの加熱容量を変化させるので、冷媒の過熱防止が可能である。
【００１６】
第１３発明の冷媒加熱装置は、第１発明の冷媒加熱装置であって、ヒータは、誘導加熱ヒータである。
ここでは、ヒータが誘導加熱ヒータであるので、冷媒を迅速に加熱することが可能である。
【００１７】
第１４発明の冷媒加熱装置の加熱制御方法は、圧縮機を含む冷媒回路の内部を流れる冷媒を加熱するヒータを、圧縮機の運転開始のタイミングに基づいて、ヒータの加熱を開始するように制御する。
ここでは、圧縮機の運転開始のタイミングに基づいてヒータの加熱を開始するように制御するので、制御性の向上および消費電力の削減が可能である。
【発明の効果】
【００１８】
第１発明によれば、制御性の向上および消費電力の削減をすることができる。
第２発明によれば、冷媒を早期に加熱することができる。
第３発明によれば、冷媒回路内部における冷媒の循環がある程度行われたのちに、ヒータの加熱を開始することによって、より効果的に冷媒を加熱することができる。
第４発明によれば、制御性をさらに向上することができ、かつ、消費電力をさらに削減することができる。
【００１９】
第５発明によれば、冷媒回路のうち冷媒温度が低下する場所における冷媒温度に基づいてヒータの加熱開始を制御するので、制御性をさらに向上することができ、かつ、消費電力をさらに削減することができる。
第６発明によれば、冷媒回路のうち冷媒温度が低下する場所で最も低い冷媒温度に基づいてヒータの加熱開始を制御するので、制御性がさらに向上するとともに消費電力もさらに削減することができる。
【００２０】
第７発明によれば、制御性をさらに向上することができ、かつ、消費電力をさらに削減することができる。
第８発明によれば、冷媒の過熱を防止することができる。
第９発明によれば、冷媒の過熱を防止することができる。
第１０発明によれば、冷媒の過熱を防止することができる。
【００２１】
第１１発明によれば、冷媒の過熱を防止することができる。
第１２発明によれば、冷媒の過熱を防止することができる。
第１３発明によれば、冷媒を迅速に加熱することができる。
第１４発明によれば、制御性の向上および消費電力の削減をすることができる。
【発明を実施するための最良の形態】
【００２２】
〔実施形態〕
図１および図２に示されるように、空気調和機１は、室外機２と、室内機３と、冷媒加熱装置４とを備えている。室外機２は、冷媒配管５および冷媒配管６を介して、室内空間Ｒの内部に設置された冷媒加熱装置４および室内機３に接続されている。図２に示されるように、冷媒配管５には、液体状態の冷媒が流れ、冷媒配管６には、ガス状態の冷媒が流れる。冷媒回路１０は、冷媒配管５および６と、室外機２（具体的には、電磁膨張弁２６、室外熱交換器２３、圧縮機２２および四路切換弁２５）と、室内機３（具体的には、室内熱交換器２７）と、冷媒加熱装置４（具体的には、第１接続管１１、ＩＨヒータ１２および第２接続管１６）とから構成される。図２には、暖房運転時の状態の冷媒回路１０が示されている。暖房運転の動作については、後段で詳述する。
【００２３】
＜冷媒加熱装置４の構成＞
冷媒加熱装置４は、図２および図３に示されるように、第１接続管１１と、ＩＨヒータ１２と、第２接続管１６と、制御部１７と、交流電源１８と、スイッチ１９と、４個の接続部２０a、２０ｂ、２０ｃ、２０ｄと、を備えている。
第１接続管１１は、冷媒回路１０の途中に接続されている。具体的には、第１接続管１１は、室外熱交換器２３と室内熱交換器２７との間の液冷媒が流れる冷媒配管５における室外熱交換器２３よりも室内熱交換器２７に近い位置に接続されている。
【００２４】
ＩＨヒータ１２は、第１接続管１１の内部を流れる冷媒を加熱するヒータである。ＩＨヒータ１２は、コイル１２ａと、筒状部材１２ｂとを有している。コイル１２ａは、断熱材からなる筒状部材１２ｂの外表面に巻き付いて配置されている。ＩＨヒータ１２は、誘導加熱を利用して、第１接続管１１の内部の鉄心（図示せず）を加熱し、それにより、第１接続管１１の内部を流れる冷媒を加熱する。ＩＨヒータ１２は、冷媒を迅速に加熱することができ、暖房能力および除霜能力を向上させることができる。
【００２５】
交流電源１８は、ＩＨヒータ１２のための交流電源であり、インバータ制御を行ういわゆるインバータ電源である。
第２接続管１６は、室内熱交換器２７における第１接続管１１が接続されている冷媒配管５（液状態の冷媒側）と反対側の冷媒配管６（ガス状態の冷媒側）に接続されている。
第１接続部２０ａおよび第２接続部２０ｂは、第１接続管１１の両端に設けられ、第１接続管１１と冷媒配管５とを接続する。第３接続部２０ｃおよび第４接続部２０ｄは、第２接続管１６の両端に設けられ、第２接続管１６と冷媒配管６とを接続する。第１〜第４接続部２０ａ〜２０ｄは、たとえば、冷媒配管５または６の端部に形成された雄ねじ部とフレアナットとの組み合わせなどからなる。
【００２６】
＜制御部１７の構成＞
制御部１７は、ＩＨヒータ１２の運転を制御する。ＩＨヒータ１２の運転制御は、交流電源１８からの電力供給の制御、およびスイッチ１９のＯＮ／ＯＦＦ制御によって、行われる。
制御部１７は、圧縮機２２の運転開始と同時に、ＩＨヒータ１２の加熱を開始するようにＩＨヒータ１２を制御する。これによって、制御性の向上および消費電力の削減が可能である。圧縮機２２の運転開始に関する運転開始告知信号Ｓstは、室外機２の制御部２９を介して、制御部１７へ送信される。
【００２７】
また、制御部１７は、室外熱交換器２３における冷媒の蒸発温度Ｔevが所定温度Ｔev１以上の場合には、ＩＨヒータ１２の加熱開始を回避する。これによって、制御性がさらに向上し、かつ、消費電力がさらに削減される。蒸発温度Ｔevに関する情報は、室外機２の制御部２９を介して、制御部１７へ送信される。蒸発温度Ｔevは、室外機２の冷媒温度センサ３１によって測定され、制御部２９に送られる。所定温度Ｔev１は、１０℃程度に設定されている。
【００２８】
また、制御部１７は、外気温度Ｔoutが所定温度Ｔout１以上である場合に、ＩＨヒータ１２の加熱開始を回避する制御を行う。これによって、制御性がさらに向上し、かつ、消費電力がさらに削減される。外気温度Ｔoutに関する情報は、室外機２の制御部２９を介して、制御部１７へ送信される。外気温度Ｔoutは、室外機２の外気温度センサ３０によって測定され、制御部２９に送られる。所定温度Ｔout１は、１０℃程度に設定されている。
【００２９】
また、制御部１７は、圧縮機２２の起動時からの運転周波数ｆの変化に対応してＩＨヒータ１２の加熱容量を変化させるので、冷媒の過熱を防止することが可能である。圧縮機２２の運転周波数ｆに関する情報は、室外機２の制御部２９を介して、制御部１７へ送信される。
また、制御部１７は、ＩＨヒータ１２が始動してから所定時間ｔ１経過後にＩＨヒータ１２を停止させる。所定時間ｔ１のカウントは、制御部１７によって行われる。
【００３０】
＜室外機２の構成＞
室外機２は、図２に示されるように、冷媒を圧縮する圧縮機２２と、冷媒と室外空気との間の熱交換を行う室外熱交換器２３と、室外熱交換器２３を通過する空気流れを発生する室外ファン２４と、冷媒の循環方向を反転させる四路切換弁２５と、電磁膨張弁２６と、制御部２９と、室外温度Ｔoutを測定する室外温度センサ３０と、室外熱交換器２３の内部における冷媒の蒸発温度Ｔev（すなわち、暖房運転時およびデフロスト運転時における冷媒の蒸発温度Ｔev）および冷媒の凝縮温度（すなわち、冷房運転時における冷媒の凝縮温度）を測定することが可能な冷媒温度センサ３１とを備えている。室外機２は、四路切換弁２５を切り換えることによって、冷媒回路１０の内部における冷媒の流れを反転させることができる。
【００３１】
制御部２９は、圧縮機２２、室外熱交換器２３、室外ファン２４、四路切換弁２５、および電磁膨張弁２６を制御する。
また、制御部２９は、圧縮機２２の運転開始を告知するための運転開始告知信号Ｓstおよび圧縮機２２の運転周波数ｆについての情報を冷媒加熱装置４の制御部１７へ送信する。
さらに、制御部２９は、室外温度センサ３０で測定された室外温度Ｔoutおよび冷媒温度センサ３１で測定された蒸発温度Ｔevについての情報を一旦受け取った後に、冷媒加熱装置４の制御部１７へ送信する。
【００３２】
＜室内機３の構成＞
室内機３は、図２に示されるように、室内熱交換器２７と、室内熱交換器２７を通過する空気流れを発生させるクロスフローファン２８と、制御部３２と、室内温度Ｔinを測定する室内温度センサ３３と、リモコン（図示せず）から送信されるパワフル要求信号Ｓｐ等の各種信号を受信するリモコン受信部３４とを有している。
【００３３】
室内熱交換器２７は、室外機２の四路切換弁２５によって冷媒回路１０の内部の冷媒の流れる方向を反転させることによって、冷媒の凝縮および蒸発の両方を行うことが可能である。これにより、室内熱交換器２７は、冷媒配管５、６を通して室外機２から供給される冷媒と室内空気との間で熱交換を行うことにより、暖房および冷房を行うことが可能である。
制御部３２は、室内機３の内部の室内熱交換器２７およびクロスフローファン２８等を制御する。
また、制御部３２は、室内温度Ｔinについての情報およびパワフル要求信号Ｓｐを一旦受け取った後に、冷媒加熱装置４の制御部１７へ送信する。
【００３４】
＜冷媒加熱装置４の加熱制御方法＞
以上のように構成された空気調和機１が暖房運転時ならびにデフロスト運転（以下の＜空気調和機１の逆サイクルデフロスト運転＞および＜空気調和機１の正サイクルデフロスト運転＞参照）のときには、冷媒加熱装置４は、以下のようにしてＩＨヒータ１２の加熱容量の制御が行われる。
【００３５】
以下、図４に示されるフローチャート、ならびに図５（ａ）および（ｂ）に示される運転周波数およびヒータ容量の時間変化のグラフを参照しながら、冷媒加熱装置４の加熱制御方法の手順を説明する。
空気調和機１の起動時には、冷媒加熱装置４の制御部１７は、まず、ステップＳ１において、室内機３の制御部２９からの情報に基づいて蒸発温度Ｔevが所定温度Ｔev１（１０℃程度）未満か判別する。蒸発温度ＴevがＴev１未満の場合には、ステップＳ２へ進み、そうでない場合にはＩＨヒータ１２の加熱開始を回避するためにステップＳ１へ戻る。
【００３６】
ついで、ステップＳ２において、制御部１７は、室外機２の制御部２９からの情報に基づいて外気温度Ｔoutが所定温度Ｔout１（１０℃程度）以上か判別する。外気温度ＴoutがＴout１以上の場合には、ＩＨヒータ１２の加熱開始を回避するためにステップＳ１へ戻り、そうでない場合にはステップＳ３へ進む。
ついで、ステップＳ３において、制御部１７は、室外機２の制御部２９からの情報に基づいて室外機２の圧縮機２２の運転が開始したか否か判別する。運転開始したと判別した場合は、ステップＳ４に進み、圧縮機２２の起動と同時にＩＨヒータ１２の加熱を開始する。そうでない場合にはＩＨヒータ１２の加熱開始を回避するためにステップＳ１へ戻る。
【００３７】
ついで、ステップＳ４において、制御部１７はＩＨヒータ１２の加熱を開始させ、冷媒回路１０に接続された第１接続管１１の内部を流れる冷媒を加熱する。
ついで、ステップＳ５において、制御部１７は、室外機２の制御部２９からの情報に基づいて圧縮機２２の運転周波数ｆが所定の増加分Ｒ１以上増加したか否か判別する。所定の増加分Ｒ１以上増加した場合には、ステップＳ６において、ＩＨヒータ１２の加熱容量を所定の加熱容量だけ増加させる。そうでない場合には、ステップＳ６を飛び越えて（スキップして）ステップＳ７に進む。
【００３８】
ステップ５〜６と同様に、ついで、ステップＳ７において、制御部１７は、室外機２の制御部２９からの情報に基づいて圧縮機２２の運転周波数ｆが所定の減少分Ｒ２以上減少したか否か判別する。所定の減少分Ｒ２以上減少した場合には、ステップＳ８において、ＩＨヒータ１２の加熱容量を所定の加熱容量だけ減少させる。そうでない場合には、ステップＳ８を飛び越えてステップＳ９に進む。
【００３９】
ついで、ステップＳ９において、制御部１７は、ＩＨヒータ１２の加熱開始から所定の時間ｔ１が経過したか否か判別する。時間ｔ１が経過した場合には、ステップＳ１０へ進み、そうでない場合にはステップＳ５へ戻って、ステップＳ５〜Ｓ９の間を繰り返して、ＩＨヒータ１２の加熱を続行させる。
最後に、ステップＳ１０において、制御部１７は、ＩＨヒータ１２の加熱を停止し、再び、ステップＳ１へ戻る。
【００４０】
＜空気調和機１の暖房運転＞
暖房運転時は、四路切換弁２５が図２において実線で示す状態に保持され、冷媒は、図２に示される冷媒回路１０を反時計回りに循環する。まず、圧縮機２２によってガス冷媒を圧縮してから高温高圧の状態にする。
このとき、冷媒の蒸発温度Ｔevおよび外気温度Ｔoutがそれぞれ所定温度（例えば、Ｔev１、Ｔout１＝１０℃）以下である場合には、図４および図５に示されるように、圧縮機２２の起動と同時に、ＩＨヒータ１２の加熱が開始される。また、パワフル運転時、すなわち、室内のリモコン（図示せず）からパワフル要求信号Ｓｐが室内機３の制御部３２を介して冷媒加熱装置４の制御部１７へ送られたときも、ＩＨヒータ１２の加熱が開始される。
【００４１】
ついで、高温高圧のガス冷媒は、四路切換弁２５、第２接続管１６および冷媒配管６を介して、室内機３の室内熱交換器２７に流入し、室内空気と熱交換して凝縮・液化する。このとき、冷媒の凝縮によって加熱された室内空気は、クロスフローファン２８によって室内空間Ｒへと吹き出され、室内空間Ｒを暖房する。
ついで、室内熱交換器２７において液化した冷媒は、冷媒配管５を通って冷媒加熱装置４の第１接続管１１へ流入し、ＩＨヒータ１２によって加熱される。ＩＨヒータ１２によって加熱された冷媒は、室外機２の電磁膨張弁２６を通過することによって膨張し、所定の低圧まで減圧される。そののち、室外機２の室外熱交換器２３において、膨張した冷媒は、室外空気と熱交換して蒸発する。このとき、室外ファン２４よって室外熱交換器２３を通過する空気流れが発生している。そして、室外熱交換器２３で蒸発して気化した冷媒は、四路切換弁２５を介して圧縮機２２に吸入される。
【００４２】
＜空気調和機１の冷房運転＞
一方、冷房運転時は、四路切換弁２５が図２において破線で示す状態に保持され、冷媒は、図２に示される冷媒回路１０を時計回りに循環する。圧縮機２２から吐出された高温高圧のガス冷媒は、四路切換弁２５を介して室外熱交換器２３に流入し、室外ファン２４によって室外熱交換器２３に強制的に送られた室外空気と熱交換して凝縮・液化する。液化した冷媒は、室外膨張弁１３で所定の低圧に減圧され、液冷媒側の冷媒配管５を通って室内機３に流入する。室内機３において、冷媒は、室内熱交換器２７で室内空気と熱交換して蒸発する。そして、冷媒の蒸発によって冷却された室内空気は、クロスフローファン２８によって室内空間Ｒへと吹き出され、室内空間Ｒを冷房する。また、室内熱交換器２７で蒸発して気化した冷媒は、ガス冷媒側の冷媒配管６を通って室外機２に戻り、圧縮機２２に吸入される。
【００４３】
＜空気調和機１の逆サイクルデフロスト運転＞
室外空気が０℃未満の気温の場合、室外機２の室外熱交換器２３の外表面に霜が付くことがある。このような場合、空気調和機１は、除霜のために逆サイクルデフロスト運転を行う。逆サイクルデフロスト運転時には、基本的には、上記の冷房運転と同様に、四路切換弁２５が図２において破線で示す状態に保持され、冷媒は、図２に示される冷媒回路１０を時計回りに循環する。圧縮機２２から吐出された高温高圧のガス冷媒は、四路切換弁２５を介して室外熱交換器２３に流入し、凝縮・液化する。
【００４４】
このとき、冷媒の蒸発温度Ｔevおよび外気温度Ｔoutがそれぞれ所定温度（例えば、Ｔev１、Ｔout１＝１０℃）以下である場合には、図４および図５に示されるように、圧縮機２２の起動と同時に、ＩＨヒータ１２の加熱が開始される。
この逆サイクルデフロスト運転時では、冷媒の凝縮熱およびＩＨヒータ１２の補助加熱によって、室外熱交換器２３の外表面に付着する霜を溶かすことが可能である。このとき、室外ファン２４は停止している。一方、室内機３側では、クロスフローファン２８を停止した状態で、室内熱交換器２７によって冷媒を蒸発させる。室内熱交換器２７で蒸発して気化した冷媒は、ガス冷媒側の冷媒配管６を通って室外機２に戻り、圧縮機２２に吸入される。
【００４５】
＜空気調和機１の正サイクルデフロスト運転＞
室外空気が０℃以上の気温の場合、空気調和機１は、除霜をしながら室内空間Ｒの暖房を行なう正サイクルデフロスト運転を行う。正サイクルデフロスト運転時には、基本的には、上記の暖房運転と同様に、四路切換弁２５が図２において実線で示す状態に保持され、冷媒は、図２に示される冷媒回路１０を反時計回りに循環する。
【００４６】
正サイクルデフロスト運転では、圧縮機２２は、能力を小さくして運転される。圧縮機２２から吐出された高温高圧のガス冷媒は、四路切換弁２５を介して室内熱交換器２７に流入し、凝縮・液化しながら、クロスフローファン２８を作動することにより、室内空間Ｒの暖房を行なう。
このとき、冷媒の蒸発温度Ｔevおよび外気温度Ｔoutがそれぞれ所定温度（例えば、Ｔev１、Ｔout１＝１０℃）以下である場合には、図４および図５に示されるように、圧縮機２２の起動と同時に、ＩＨヒータ１２の加熱が開始される。
【００４７】
凝縮・液化された冷媒は、冷媒加熱装置４のＩＨヒータ１２により加熱された後、室外熱交換器２３に流れる。加熱された冷媒が室外熱交換器２３に流入することによって、室外熱交換器２３の外表面に付着する霜を溶かすことが可能である。このとき、室外ファン２４は運転している。
【００４８】
＜実施形態の特徴＞
（１）
実施形態の冷媒加熱装置４では、制御部１７は、圧縮機２２の運転開始のタイミングに基づいて、ＩＨヒータ１２の加熱を開始するようにＩＨヒータ１２を制御する、これによって、制御性の向上および消費電力の削減をすることが可能である。
（２）
実施形態の冷媒加熱装置４では、制御部１７は、圧縮機２２の運転開始と同時に、ＩＨヒータ１２の加熱を開始するようにＩＨヒータ１２を制御する。これによって、冷媒回路１０の内部を流れる冷媒を早期に加熱することが可能である。
（３）
実施形態の冷媒加熱装置４では、制御部１７は、室外熱交換器２３の内部における冷媒の蒸発温度Ｔev（すなわち、暖房運転時およびデフロスト運転時における冷媒の蒸発温度Ｔev）が所定の温度Ｔev１よりも低い場合に、圧縮機２２の運転開始のタイミングに基づいて、ＩＨヒータ１２の加熱を開始するようにＩＨヒータ１２を制御する。これによって、冷媒回路１０のうち冷媒温度が低下する場所における冷媒温度に基づいてＩＨヒータ１２の加熱開始を制御するので、制御性がさらに向上し、それとともに消費電力もさらに削減することが可能である。
【００４９】
（４）
実施形態の冷媒加熱装置４では、制御部１７は、外気温度Ｔoutが所定温度Ｔout１以上である場合に、ＩＨヒータ１２の加熱開始を回避するので、制御性がさらに向上し、それとともに消費電力のさらなる削減が可能である。
（５）
実施形態の冷媒加熱装置４では、制御部１７は、圧縮機２２の起動時からの運転周波数の変化に対応してＩＨヒータ１２の加熱容量を変化させるので、冷媒の過熱防止が可能である。
【００５０】
（６）
実施形態の冷媒加熱装置４では、ＩＨヒータ１２が誘導加熱ヒータであるので、冷媒を迅速に加熱することが可能である。
（７）
実施形態の冷媒加熱装置４の加熱制御方法は、圧縮機２２の運転開始のタイミングに基づいて、ＩＨヒータ１２の加熱を開始するようにＩＨヒータ１２を制御するので、制御性の向上および消費電力の削減をすることが可能である。
【００５１】
（変形例）
（Ａ）
上記実施形態では、制御部１７は、圧縮機２２の運転開始と同時に、ＩＨヒータ１２の加熱を開始するようにＩＨヒータ１２を制御しているが、本発明はこれに限定されるものではない。本発明の変形例として、図６（ａ）、（ｂ）のグラフに示されるように、制御部１７は、圧縮機２２の起動時から所定時間ｔ２経過後にＩＨヒータ１２の加熱を開始するようにＩＨヒータ１２を制御してもよい。この場合、冷媒回路１０内部における冷媒の循環がある程度行われたのちに、ＩＨヒータ１２の加熱を開始することによって、より効果的に冷媒を加熱することが可能になる。
【００５２】
（Ｂ）
また、本発明の変形例として、図６（ａ）、（ｂ）のグラフに示されるように、制御部１７は、圧縮機２２の起動時から所定時間Δｔごとに、ＩＨヒータ１２の加熱容量を段階的に大きくするようにＩＨヒータ１２を制御することにより、冷媒の過熱を防止することが可能になる。
【００５３】
（Ｃ）
また、本発明の他の変形例として、図７（ａ）、（ｂ）、（ｃ）のグラフに示されるように、制御部１７は、所定時間Δｔごとの冷媒の温度に基づいて、ＩＨヒータ１２の加熱容量を変化させることにより、冷媒の過熱を防止することが可能になる。冷媒の温度は、例えば、暖房運転時の室外熱交換器２３の冷媒の蒸発温度Ｔevが採用される。
【００５４】
制御部１７は、圧縮機２２の起動時（図７（ａ）参照）から所定時間ｔ２（図７（ｂ）参照）経過後にＩＨヒータ１２の加熱を開始し、所定時間Δｔごとの冷媒の蒸発温度Ｔev（図７（ｃ）参照）に基づいて、ＩＨヒータ１２の加熱容量を段階的に大きくするようにＩＨヒータ１２を制御する。ＩＨヒータ１２の加熱容量が所定の最大加熱容量Ｗmaxになったときには、ＩＨヒータ１２の加熱容量は、Ｗmaxに維持される。その後、冷媒の蒸発温度Ｔevが所定の第１温度Ｔ１になったときは、ＩＨヒータ１２の加熱容量は半分に減少され、さらに、冷媒の蒸発温度Ｔevが所定の第２温度Ｔ２になったときは、ＩＨヒータ１２の加熱は停止される。
【００５５】
（Ｄ）
また、本発明のさらに他の変形例として、制御部１７は、所定時間ごとの冷媒温度の変化量に基づいて、ＩＨヒータ１２の加熱容量を変化させてもよく、この場合も、冷媒の過熱を効果的に防止することが可能である。
（Ｅ）
また、本発明のさらに他の変形例として、制御部１７は、圧縮機２２の運転周波数および冷媒の温度に基づいて、ヒータ１２の加熱容量を変化させてもよく、この場合も、冷媒の過熱を効果的に防止することが可能である。
【００５６】
（Ｆ）
上記実施形態では、冷媒の温度が所定の温度よりも低い場合に、圧縮機２２の運転開始のタイミングに基づいて、制御部１７がＩＨヒータ１２の加熱を開始するようにＩＨヒータ１２を制御する例として、室外熱交換器２３の内部における冷媒の蒸発温度Ｔevが所定の温度Ｔev１よりも低い場合における制御を例にあげて説明したが、本発明はこれに限定されるものではない。
【００５７】
本発明では、制御部１７は、冷媒の温度が所定の温度よりも低い場合に、圧縮機２２の運転開始のタイミングに基づいて、ＩＨヒータ１２の加熱を開始するようにＩＨヒータ１２を制御することにより、制御性がさらに向上するとともに消費電力もさらに削減することが可能になる。したがって、冷媒回路１０の冷媒配管の適当な場所（例えば、冷媒加熱装置４の第１接続管１１または第２接続管１６など）に温度センサを設けて、その場所における冷媒の温度が所定の温度よりも低い場合に、圧縮機２２の運転開始のタイミングに基づいて、ＩＨヒータ１２の加熱を開始するようにしてもよい。
【００５８】
（Ｇ）
本発明のさらに他の変形例として、暖房運転時およびデフロスト運転時に蒸発器として機能する室外熱交換器２３の出口付近における冷媒ガスの温度が所定の温度よりも低い場合に、圧縮機２２の運転開始のタイミングに基づいて、制御部１７がＩＨヒータ１２の加熱を開始するようにＩＨヒータ１２を制御するようにしてもよい。この場合には、冷媒回路１０における冷媒温度が低くなる場所で最も低い冷媒温度に基づいて、制御性がさらに向上するとともに消費電力もさらに削減することが可能になる。
【産業上の利用可能性】
【００５９】
本発明は、冷媒回路に圧縮機を含む空気調和機の冷媒を加熱するための冷媒加熱装置に適用することが可能である。
【図面の簡単な説明】
【００６０】
【図１】本発明の実施形態に係わる冷媒加熱装置を備えた空気調和機の構成図。
【図２】図１の空気調和機の冷媒回路を示す図。
【図３】図１の冷媒加熱装置の内部構成図。
【図４】図３の冷媒加熱装置の加熱制御方法の手順を示すフローチャート。
【図５】本発明の冷媒加熱装置の実施形態における（ａ）圧縮機の運転周波数の時間的変化を示すグラフ、および（ｂ）冷媒加熱装置のＩＨヒータの加熱容量の時間的変化を示すグラフ。
【図６】本発明の冷媒加熱装置の変形例における（ａ）圧縮機の運転周波数の時間的変化を示すグラフ、および（ｂ）冷媒加熱装置のＩＨヒータの加熱容量の時間的変化を示すグラフ。
【図７】本発明の冷媒加熱装置の他の変形例における（ａ）圧縮機の運転周波数の時間的変化を示すグラフ、（ｂ）冷媒加熱装置のＩＨヒータの加熱容量の時間的変化を示すグラフ、ならびに（ｃ）冷媒温度の時間的変化を示すグラフ。
【符号の説明】
【００６１】
１  空気調和機
２  室外機
３  室内機
４  冷媒加熱装置
５  冷媒配管
６  冷媒配管
１０  冷媒回路
１１  第１接続管
１２  ＩＨヒータ
１６  第２接続管
１７  制御部
１８  交流電源
１９  スイッチ
２２  圧縮機
２３  室外熱交換器
２４  ファン
２５  四路切換弁
２６  電磁膨張弁
２７  室内熱交換器
２８  クロスフローファン
３０  外気温度センサ
３１  冷媒温度センサ
３３  室内温度センサ
【図１】
2007255736.tif 000003
【図２】
2007255736.tif 000004
【図３】
2007255736.tif 000005
【図４】
2007255736.tif 000006
【図５】
2007255736.tif 000007
【図６】
2007255736.tif 000008
【図７】
2007255736.tif 000009
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
圧縮機（２２）を含む冷媒回路（１０）の内部を流れる冷媒を加熱するヒータ（１２）と、
前記ヒータ（１２）の運転を制御する制御部（１７）と
を備えており、
前記制御部（１７）は、前記圧縮機（２２）の運転開始のタイミングに基づいて、前記圧縮機（２２）の運転開始から所定時間経過後に、前記ヒータ（１２）の加熱を開始するように前記ヒータ（１２）を制御する、
冷媒加熱装置（４）。
【請求項２】
圧縮機（２２）を含む冷媒回路（１０）の内部を流れる冷媒を加熱するヒータ（１２）と、
前記ヒータ（１２）の運転を制御する制御部（１７）と
を備えており、
前記制御部（１７）は、前記圧縮機（２２）の運転開始のタイミングに基づいて、前記ヒータ（１２）の加熱を開始するように前記ヒータ（１２）を制御し、かつ、前記圧縮機（２２）の起動時から所定時間ごとに、前記ヒータ（１２）の加熱容量を段階的に大きくするように前記ヒータ（１２）を制御する、
冷媒加熱装置（４）。
【請求項３】
圧縮機（２２）を含む冷媒回路（１０）の内部を流れる冷媒を加熱するヒータ（１２）と、
前記ヒータ（１２）の運転を制御する制御部（１７）と
を備えており、
前記制御部（１７）は、前記圧縮機（２２）の運転開始のタイミングに基づいて、前記ヒータ（１２）の加熱を開始するように前記ヒータ（１２）を制御し、かつ、前記圧縮機（２２）の起動時から所定時間ごとの前記冷媒の温度に基づいて、前記ヒータ（１２）の加熱容量を変化させる、
冷媒加熱装置（４）。
【請求項４】
前記制御部（１７）は、前記圧縮機（２２）の運転開始と同時に、前記ヒータ（１２）の加熱を開始するように前記ヒータ（１２）を制御する、
請求項２または３に記載の冷媒加熱装置（４）。
【請求項５】
前記制御部（１７）は、前記冷媒の温度が所定の温度よりも低い場合に、前記圧縮機（２２）の運転開始のタイミングに基づいて、前記ヒータ（１２）の加熱を開始するように前記ヒータ（１２）を制御する、
請求項１から４のいずれかに記載の冷媒加熱装置（４）。
【請求項６】
前記冷媒回路は、蒸発器を有しており、
前記制御部（１７）は、前記蒸発器における前記冷媒の蒸発温度が所定の温度よりも低い場合に、前記圧縮機（２２）の運転開始のタイミングに基づいて、前記ヒータ（１２）の加熱を開始するように前記ヒータ（１２）を制御する、
請求項５に記載の冷媒加熱装置（４）。
【請求項７】
前記冷媒回路は、蒸発器を有しており、
前記制御部（１７）は、前記蒸発器の出口付近における前記冷媒の温度が所定の温度よりも低い場合に、前記圧縮機（２２）の運転開始のタイミングに基づいて、前記ヒータ（１２）の加熱を開始するように前記ヒータ（１２）を制御する、
請求項５に記載の冷媒加熱装置（４）。
【請求項８】
前記制御部（１７）は、外気温度が所定の温度以上である場合に、前記ヒータ（１２）の加熱開始を回避する、
請求項１から４のいずれかに記載の冷媒加熱装置（４）。
【請求項９】
前記制御部（１７）は、前記圧縮機（２２）の起動時からの運転周波数の変化に対応して前記ヒータ（１２）の加熱容量を変化させる、
請求項１または２に記載の冷媒加熱装置（４）。
【請求項１０】
前記制御部（１７）は、前記圧縮機（２２）の起動時から所定時間ごとの前記冷媒の温度の変化量に基づいて、前記ヒータ（１２）の加熱容量を変化させる、
請求項１または２に記載の冷媒加熱装置（４）。
【請求項１１】
前記制御部（１７）は、前記圧縮機（２２）の運転周波数および前記冷媒の温度に基づいて、前記ヒータ（１２）の加熱容量を変化させる、
請求項１または２に記載の冷媒加熱装置（４）。
【請求項１２】
前記ヒータ（１２）は、誘導加熱ヒータである、
請求項１から３のいずれかに記載の冷媒加熱装置（４）。
【請求項１３】
圧縮機（２２）を含む冷媒回路（１０）の内部を流れる冷媒を加熱するヒータ（１２）を、前記圧縮機（２２）の運転開始のタイミングに基づいて、前記圧縮機（２２）の運転開始から所定時間経過後に、前記ヒータ（１２）の加熱を開始するように制御する、
冷媒加熱装置の加熱制御方法。
【請求項１４】
圧縮機（２２）を含む冷媒回路（１０）の内部を流れる冷媒を加熱するヒータ（１２）を、前記圧縮機（２２）の運転開始のタイミングに基づいて、前記ヒータ（１２）の加熱を開始するように制御し、ついで、前記圧縮機（２２）の起動時から所定時間ごとに、前記ヒータ（１２）の加熱容量を段階的に大きくするように前記ヒータ（１２）を制御する、
冷媒加熱装置の加熱制御方法。
【請求項１５】
圧縮機（２２）を含む冷媒回路（１０）の内部を流れる冷媒を加熱するヒータ（１２）を、前記圧縮機（２２）の運転開始のタイミングに基づいて、前記ヒータ（１２）の加熱を開始するように制御し、ついで、前記圧縮機（２２）の起動時から所定時間ごとの前記冷媒の温度に基づいて、前記ヒータ（１２）の加熱容量を変化させる、
冷媒加熱装置の加熱制御方法。
【手続補正２】
【補正対象書類名】明細書
【補正対象項目名】０００５
【補正方法】変更
【補正の内容】
【０００５】
第１発明の冷媒加熱装置は、ヒータと、制御部とを備えている。ヒータは、冷媒を加熱する。冷媒は、冷媒回路の内部を流れる。冷媒回路は、圧縮機を含む。制御部は、ヒータの運転を制御する。制御部は、圧縮機の運転開始のタイミングに基づいて、圧縮機の運転開始から所定時間経過後に、ヒータの加熱を開始するようにヒータを制御する。
ここでは、制御部が圧縮機の運転開始のタイミングに基づいてヒータの加熱を開始するようにヒータを制御するので、制御性の向上および消費電力の削減が可能である。しかも、制御部が圧縮機の運転開始から所定時間経過後にヒータの加熱を開始するようにヒータを制御するので、冷媒回路内部における冷媒の循環がある程度行われたのちに、ヒータの加熱を開始することによって、より効果的に冷媒を加熱することが可能である。
第２発明の冷媒加熱装置は、ヒータと、制御部とを備えている。ヒータは、冷媒を加熱する。冷媒は、冷媒回路の内部を流れる。冷媒回路は、圧縮機を含む。制御部は、ヒータの運転を制御する。制御部は、圧縮機の運転開始のタイミングに基づいて、ヒータの加熱を開始するようにヒータを制御する。また、制御部は、圧縮機の起動時から所定時間ごとに、ヒータの加熱容量を段階的に大きくするようにヒータを制御する。
ここでは、制御部が圧縮機の運転開始のタイミングに基づいてヒータの加熱を開始するようにヒータを制御するので、制御性の向上および消費電力の削減が可能である。しかも、制御部が圧縮機の起動時から所定時間ごとにヒータの加熱容量を段階的に大きくするようにヒータを制御するので、冷媒の過熱防止が可能である。
第３発明の冷媒加熱装置は、ヒータと、制御部とを備えている。ヒータは、冷媒を加熱する。冷媒は、冷媒回路の内部を流れる。冷媒回路は、圧縮機を含む。制御部は、ヒータの運転を制御する。制御部は、圧縮機の運転開始のタイミングに基づいて、ヒータの加熱を開始するようにヒータを制御する。また、制御部は、圧縮機の起動時から所定時間ごとの冷媒の温度に基づいて、ヒータの加熱容量を変化させる。
ここでは、制御部が圧縮機の運転開始のタイミングに基づいてヒータの加熱を開始するようにヒータを制御するので、制御性の向上および消費電力の削減が可能である。しかも、制御部が圧縮機の起動時から所定時間ごとの前記冷媒の温度に基づいてヒータの加熱容量を変化させるので、冷媒の過熱防止が可能である。
【手続補正３】
【補正対象書類名】明細書
【補正対象項目名】０００６
【補正方法】変更
【補正の内容】
【０００６】
第４発明の冷媒加熱装置は、第２発明または第３発明の冷媒加熱装置であって、制御部は、圧縮機の運転開始と同時に、ヒータの加熱を開始するようにヒータを制御する。
ここでは、制御部が圧縮機の運転開始と同時にヒータの加熱を開始するようにヒータを制御するので、冷媒を早期に加熱することが可能である。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
第５発明の冷媒加熱装置は、第１発明から第４発明のいずれかの冷媒加熱装置であって、制御部は、冷媒の温度が所定の温度よりも低い場合に、圧縮機の運転開始のタイミングに基づいて、ヒータの加熱を開始するようにヒータを制御する。
ここでは、制御部が冷媒の温度が所定の温度よりも低い場合に圧縮機の運転開始のタイミングに基づいてヒータの加熱を開始するようにヒータを制御するので、制御性がさらに向上するとともに消費電力もさらに削減することが可能である。
【手続補正６】
【補正対象書類名】明細書
【補正対象項目名】０００９
【補正方法】変更
【補正の内容】
【０００９】
第６発明の冷媒加熱装置は、第５発明の冷媒加熱装置であって、冷媒回路は、蒸発器を有している。制御部は、蒸発器における冷媒の蒸発温度が所定の温度よりも低い場合に、圧縮機の運転開始のタイミングに基づいて、ヒータの加熱を開始するようにヒータを制御する。
ここでは、制御部が蒸発器における冷媒の蒸発温度が所定の温度よりも低い場合に圧縮機の運転開始のタイミングに基づいてヒータの加熱を開始するようにヒータを制御することにより、冷媒回路のうち冷媒温度が低下する場所における冷媒温度に基づいてヒータの加熱開始を制御するので、制御性がさらに向上するとともに消費電力もさらに削減することが可能である。
【手続補正７】
【補正対象書類名】明細書
【補正対象項目名】００１０
【補正方法】変更
【補正の内容】
【００１０】
第７発明の冷媒加熱装置は、第５発明の冷媒加熱装置であって、冷媒回路は、蒸発器を有している。制御部は、蒸発器の出口付近における冷媒の温度が所定の温度よりも低い場合に、圧縮機の運転開始のタイミングに基づいて、ヒータの加熱を開始するようにヒータを制御する。
ここでは、制御部が蒸発器の出口付近における冷媒の温度が所定の温度よりも低い場合に圧縮機の運転開始のタイミングに基づいてヒータの加熱を開始するようにヒータを制御することにより、冷媒回路のうち冷媒温度が低下する場所で最も低い冷媒温度に基づいてヒータの加熱開始を制御するので、制御性がさらに向上するとともに消費電力もさらに削減することが可能である。
【手続補正８】
【補正対象書類名】明細書
【補正対象項目名】００１１
【補正方法】変更
【補正の内容】
【００１１】
第８発明の冷媒加熱装置は、第１発明から第４発明のいずれかの冷媒加熱装置であって、制御部は、外気温度が所定の温度以上である場合に、ヒータの加熱開始を回避する。
ここでは、制御部が外気温度が所定の温度以上である場合にヒータの加熱開始を回避するので、制御性のさらなる向上および消費電力のさらなる削減が可能である。
第９発明の冷媒加熱装置は、第１発明または第２発明の冷媒加熱装置であって、制御部は、圧縮機の起動時からの運転周波数の変化に対応してヒータの加熱容量を変化させる。
ここでは、制御部が圧縮機の起動時からの運転周波数の変化に対応してヒータの加熱容量を変化させるので、冷媒の過熱防止が可能である。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
第１０発明の冷媒加熱装置は、第１発明または第２発明の冷媒加熱装置であって、制御部は、圧縮機の起動時から所定時間ごとの冷媒の温度の変化量に基づいて、ヒータの加熱容量を変化させる。
ここでは、制御部が圧縮機の起動時から所定時間ごとの冷媒の温度の変化量に基づいてヒータの加熱容量を変化させるので、冷媒の過熱防止が可能である。
【手続補正１２】
【補正対象書類名】明細書
【補正対象項目名】００１５
【補正方法】変更
【補正の内容】
【００１５】
第１１発明の冷媒加熱装置は、第１発明または第２発明の冷媒加熱装置であって、制御部は、圧縮機の運転周波数および前記冷媒の温度に基づいて、ヒータの加熱容量を変化させる。
ここでは、制御部が圧縮機の運転周波数および前記冷媒の温度に基づいてヒータの加熱容量を変化させるので、冷媒の過熱防止が可能である。
【手続補正１３】
【補正対象書類名】明細書
【補正対象項目名】００１６
【補正方法】変更
【補正の内容】
【００１６】
第１２発明の冷媒加熱装置は、第１発明から第３発明のいずれかの冷媒加熱装置であって、ヒータは、誘導加熱ヒータである。
ここでは、ヒータが誘導加熱ヒータであるので、冷媒を迅速に加熱することが可能である。
【手続補正１４】
【補正対象書類名】明細書
【補正対象項目名】００１７
【補正方法】変更
【補正の内容】
【００１７】
第１３発明の冷媒加熱装置の加熱制御方法は、圧縮機を含む冷媒回路の内部を流れる冷媒を加熱するヒータを、圧縮機の運転開始のタイミングに基づいて、圧縮機の運転開始から所定時間経過後に、ヒータの加熱を開始するように制御する。
ここでは、圧縮機の運転開始のタイミングに基づいてヒータの加熱を開始するように制御するので、制御性の向上および消費電力の削減が可能である。しかも、圧縮機の運転開始から所定時間経過後にヒータの加熱を開始するようにヒータを制御するので、冷媒回路内部における冷媒の循環がある程度行われたのちに、ヒータの加熱を開始することによって、より効果的に冷媒を加熱することが可能である。
第１４発明の冷媒加熱装置の加熱制御方法は、圧縮機を含む冷媒回路の内部を流れる冷媒を加熱するヒータを、圧縮機の運転開始のタイミングに基づいて、ヒータの加熱を開始するように制御する。ついで、圧縮機の起動時から所定時間ごとに、ヒータの加熱容量を段階的に大きくするようにヒータを制御する。
ここでは、圧縮機の運転開始のタイミングに基づいてヒータの加熱を開始するように制御するので、制御性の向上および消費電力の削減が可能である。しかも、圧縮機の起動時から所定時間ごとにヒータの加熱容量を段階的に大きくするようにヒータを制御するので、冷媒の過熱防止が可能である。
第１５発明の冷媒加熱装置の加熱制御方法は、圧縮機を含む冷媒回路の内部を流れる冷媒を加熱するヒータを、圧縮機の運転開始のタイミングに基づいて、ヒータの加熱を開始するように制御する。ついで、圧縮機の起動時から所定時間ごとの冷媒の温度に基づいて、ヒータの加熱容量を変化させる。
ここでは、圧縮機の運転開始のタイミングに基づいてヒータの加熱を開始するように制御するので、制御性の向上および消費電力の削減が可能である。しかも、圧縮機の起動時から所定時間ごとの前記冷媒の温度に基づいてヒータの加熱容量を変化させるので、冷媒の過熱防止が可能である。
【手続補正１５】
【補正対象書類名】明細書
【補正対象項目名】００１８
【補正方法】変更
【補正の内容】
【００１８】
第１発明によれば、制御性の向上および消費電力の削減をすることができる。しかも、冷媒回路内部における冷媒の循環がある程度行われたのちに、ヒータの加熱を開始することによって、より効果的に冷媒を加熱することができる。
第２発明によれば、制御性の向上および消費電力の削減をすることができる。しかも、冷媒の過熱を防止することができる。
第３発明によれば、制御性の向上および消費電力の削減をすることができる。しかも、冷媒の過熱を防止することができる。
第４発明によれば、冷媒を早期に加熱することができる。
第５発明によれば、制御性をさらに向上することができ、かつ、消費電力をさらに削減することができる。
【手続補正１６】
【補正対象書類名】明細書
【補正対象項目名】００１９
【補正方法】変更
【補正の内容】
【００１９】
第６発明によれば、冷媒回路のうち冷媒温度が低下する場所における冷媒温度に基づいてヒータの加熱開始を制御するので、制御性をさらに向上することができ、かつ、消費電力をさらに削減することができる。
第７発明によれば、冷媒回路のうち冷媒温度が低下する場所で最も低い冷媒温度に基づいてヒータの加熱開始を制御するので、制御性がさらに向上するとともに消費電力もさらに削減することができる。
【手続補正１７】
【補正対象書類名】明細書
【補正対象項目名】００２０
【補正方法】変更
【補正の内容】
【００２０】
第８発明によれば、制御性をさらに向上することができ、かつ、消費電力をさらに削減することができる。
第９発明によれば、冷媒の過熱を防止することができる。
【手続補正１８】
【補正対象書類名】明細書
【補正対象項目名】００２１
【補正方法】変更
【補正の内容】
【００２１】
第１０発明によれば、冷媒の過熱を防止することができる。
第１１発明によれば、冷媒の過熱を防止することができる。
第１２発明によれば、冷媒を迅速に加熱することができる。
第１３発明によれば、制御性の向上および消費電力の削減をすることができる。しかも、冷媒回路内部における冷媒の循環がある程度行われたのちに、ヒータの加熱を開始することによって、より効果的に冷媒を加熱することができる。
第１４発明によれば、制御性の向上および消費電力の削減をすることができる。しかも、冷媒の過熱を防止することができる。
第１５発明によれば、制御性の向上および消費電力の削減をすることができる。しかも、冷媒の過熱を防止することができる。